【手続補正書】
【提出日】平成26年3月5日(2014.3.5)
【手続補正１】
【補正対象書類名】特許請求の範囲
【補正対象項目名】全文
【補正方法】変更
【補正の内容】
【特許請求の範囲】
【請求項１】
イントラ予測モードに関する情報を復号して、ブロック単位で輝度信号と色差信号とを含む画像信号をイントラ予測復号する画像復号装置であって、
画像信号を符号化ブロック単位でイントラ予測する際、輝度信号を水平および垂直に分割する分割モードが取得され、色差フォーマットが４：２：０である場合、前記符号化ブロック内の第１の輝度信号の予測ブロックのイントラ輝度予測モード、第２の輝度信号の予測ブロックのイントラ輝度予測モード、第３の輝度信号の予測ブロックのイントラ輝度予測モード、第４の輝度信号の予測ブロックのイントラ輝度予測モード、及び、第１の輝度信号の予測ブロックと同一の基準位置にある色差信号の予測ブロックのイントラ色差予測モードに関する符号化情報が配列された符号化列から、前記第１〜第４の輝度信号の予測ブロックのイントラ輝度予測モードに関する情報を復号し、続いて色差信号の予測ブロックのイントラ色差予測モードに関する情報を復号する符号化列復号部と、
前記分割モードが設定された場合、前記符号化ブロックの輝度信号を水平および垂直に分割した第１〜第４の輝度信号の予測ブロックを設定して、復号された前記輝度信号の予測ブロック毎のイントラ輝度予測モードに関する情報により得られた各イントラ輝度予測モードに応じて、周囲の復号済みの輝度信号のブロックから輝度信号を予測する輝度信号イントラ予測部と、
前記分割モードが設定され、色差フォーマットが４：２：０である場合、前記符号化ブロックの色差信号を分割することなく色差信号の予測ブロックを設定して、復号されたイントラ色差予測モードに関する情報により得られたイントラ色差予測モードに応じて、周囲の復号済みの色差信号のブロックから色差信号を予測する色差信号イントラ予測部と
を備え、
前記色差信号イントラ予測部は、イントラ輝度予測モードに応じてイントラ色差予測モードを設定するモードにおいて、前記符号化ブロック内の第１の輝度信号の予測ブロックのイントラ輝度予測モードを示す値を、前記符号化ブロック内の色差信号の予測ブロックのイントラ色差予測モードを示す値に用いることにより、イントラ色差予測モードを設定する
ことを特徴とする画像復号装置。
【請求項２】
イントラ予測モードに関する情報を復号して、ブロック単位で輝度信号と色差信号とを含む画像信号をイントラ予測復号する画像復号方法であって、
画像信号を符号化ブロック単位でイントラ予測する際、輝度信号を水平および垂直に分割する分割モードが取得され、色差フォーマットが４：２：０である場合、前記符号化ブロック内の第１の輝度信号の予測ブロックのイントラ輝度予測モード、第２の輝度信号の予測ブロックのイントラ輝度予測モード、第３の輝度信号の予測ブロックのイントラ輝度予測モード、第４の輝度信号の予測ブロックのイントラ輝度予測モード、及び、第１の輝度信号の予測ブロックと同一の基準位置にある色差信号の予測ブロックのイントラ色差予測モードに関する符号化情報が配列された符号化列から、前記第１〜第４の輝度信号の予測ブロックのイントラ輝度予測モードに関する情報を復号し、続いて色差信号の予測ブロックのイントラ色差予測モードに関する情報を復号する符号化列復号ステップと、
前記分割モードが設定された場合、前記符号化ブロックの輝度信号を水平および垂直に分割した第１〜第４の輝度信号の予測ブロックを設定して、復号された前記輝度信号の予測ブロック毎のイントラ輝度予測モードに関する情報により得られた各イントラ輝度予測モードに応じて、周囲の復号済みの輝度信号のブロックから輝度信号を予測する輝度信号イントラ予測ステップと、
前記分割モードが設定され、色差フォーマットが４：２：０である場合、前記符号化ブロックの色差信号を分割することなく色差信号の予測ブロックを設定して、復号されたイントラ色差予測モードに関する情報により得られたイントラ色差予測モードに応じて、周囲の復号済みの色差信号のブロックから色差信号を予測する色差信号イントラ予測ステップと
を有し、
前記色差信号イントラ予測ステップにおいて、イントラ輝度予測モードに応じてイントラ色差予測モードを設定するモードにおいて、前記符号化ブロック内の第１の輝度信号の予測ブロックのイントラ輝度予測モードを示す値を、前記符号化ブロック内の色差信号の予測ブロックのイントラ色差予測モードを示す値に用いることにより、イントラ色差予測モードを設定する
ことを特徴とする画像復号方法。
【請求項３】
イントラ予測モードに関する情報を復号して、ブロック単位で輝度信号と色差信号とを含む画像信号をイントラ予測復号する画像復号プログラムであって、
画像信号を符号化ブロック単位でイントラ予測する際、輝度信号を水平および垂直に分割する分割モードが取得され、色差フォーマットが４：２：０である場合、前記符号化ブロック内の第１の輝度信号の予測ブロックのイントラ輝度予測モード、第２の輝度信号の予測ブロックのイントラ輝度予測モード、第３の輝度信号の予測ブロックのイントラ輝度予測モード、第４の輝度信号の予測ブロックのイントラ輝度予測モード、及び、第１の輝度信号の予測ブロックと同一の基準位置にある色差信号の予測ブロックのイントラ色差予測モードに関する符号化情報が配列された符号化列から、前記第１〜第４の輝度信号の予測ブロックのイントラ輝度予測モードに関する情報を復号し、続いて色差信号の予測ブロックのイントラ色差予測モードに関する情報を復号する符号化列復号ステップと、
前記分割モードが設定された場合、前記符号化ブロックの輝度信号を水平および垂直に分割した第１〜第４の輝度信号の予測ブロックを設定して、復号された前記輝度信号の予測ブロック毎のイントラ輝度予測モードに関する情報により得られた各イントラ輝度予測モードに応じて、周囲の復号済みの輝度信号のブロックから輝度信号を予測する輝度信号イントラ予測ステップと、
前記分割モードが設定され、色差フォーマットが４：２：０である場合、前記符号化ブロックの色差信号を分割することなく色差信号の予測ブロックを設定して、復号されたイントラ色差予測モードに関する情報により得られたイントラ色差予測モードに応じて、周囲の復号済みの色差信号のブロックから色差信号を予測する色差信号イントラ予測ステップと
をコンピュータに実行させ、
前記色差信号イントラ予測ステップにおいて、イントラ輝度予測モードに応じてイントラ色差予測モードを設定するモードにおいて、前記符号化ブロック内の第１の輝度信号の予測ブロックのイントラ輝度予測モードを示す値を、前記符号化ブロック内の色差信号の予測ブロックのイントラ色差予測モードを示す値に用いることにより、イントラ色差予測モードを設定する
ことを特徴とする画像復号プログラム。
【請求項４】
符号化ストリームから、イントラ予測モードに関する情報を復号して、ブロック単位で輝度信号と色差信号とを含む画像信号をイントラ予測復号する受信装置であって、
動画像が符号化された符号化データを受信する受信部と、
前記符号化データをパケット処理して前記符号化ストリームを生成するパケット処理部と、
前記符号化ストリームから画像信号を符号化ブロック単位でイントラ予測する際、輝度信号を水平および垂直に分割する分割モードが取得され、色差フォーマットが４：２：０である場合、前記符号化ブロック内の第１の輝度信号の予測ブロックのイントラ輝度予測モード、第２の輝度信号の予測ブロックのイントラ輝度予測モード、第３の輝度信号の予測ブロックのイントラ輝度予測モード、第４の輝度信号の予測ブロックのイントラ輝度予測モード、及び、第１の輝度信号の予測ブロックと同一の基準位置にある色差信号の予測ブロックのイントラ色差予測モードに関する符号化情報が配列された符号化列から、前記第１〜第４の輝度信号の予測ブロックのイントラ輝度予測モードに関する情報を復号し、続いて色差信号の予測ブロックのイントラ色差予測モードに関する情報を復号する符号化列復号部と、
前記分割モードが設定された場合、前記符号化ブロックの輝度信号を水平および垂直に分割した第１〜第４の輝度信号の予測ブロックを設定して、復号された前記輝度信号の予測ブロック毎のイントラ輝度予測モードに関する情報により得られた各イントラ輝度予測モードに応じて、周囲の復号済みの輝度信号のブロックから輝度信号を予測する輝度信号イントラ予測部と、
前記分割モードが設定され、色差フォーマットが４：２：０である場合、前記符号化ブロックの色差信号を分割することなく色差信号の予測ブロックを設定して、復号されたイントラ色差予測モードに関する情報により得られたイントラ色差予測モードに応じて、周囲の復号済みの色差信号のブロックから色差信号を予測する色差信号イントラ予測部と
を備え、
前記色差信号イントラ予測部は、イントラ輝度予測モードに応じてイントラ色差予測モードを設定するモードにおいて、前記符号化ブロック内の第１の輝度信号の予測ブロックのイントラ輝度予測モードを示す値を、前記符号化ブロック内の色差信号の予測ブロックのイントラ色差予測モードを示す値に用いることにより、イントラ色差予測モードを設定する
ことを特徴とする受信装置。
【請求項５】
符号化ストリームから、イントラ予測モードに関する情報を復号して、ブロック単位で輝度信号と色差信号とを含む画像信号をイントラ予測復号する受信方法であって、
動画像が符号化された符号化データを受信する受信ステップと、
前記符号化データをパケット処理して前記符号化ストリームを生成するパケット処理ステップと、
前記符号化ストリームから画像信号を符号化ブロック単位でイントラ予測する際、輝度信号を水平および垂直に分割する分割モードが取得され、色差フォーマットが４：２：０である場合、前記符号化ブロック内の第１の輝度信号の予測ブロックのイントラ輝度予測モード、第２の輝度信号の予測ブロックのイントラ輝度予測モード、第３の輝度信号の予測ブロックのイントラ輝度予測モード、第４の輝度信号の予測ブロックのイントラ輝度予測モード、及び、第１の輝度信号の予測ブロックと同一の基準位置にある色差信号の予測ブロックのイントラ色差予測モードに関する符号化情報が配列された符号化列から、前記第１〜第４の輝度信号の予測ブロックのイントラ輝度予測モードに関する情報を復号し、続いて色差信号の予測ブロックのイントラ色差予測モードに関する情報を復号する符号化列復号ステップと、
前記分割モードが設定された場合、前記符号化ブロックの輝度信号を水平および垂直に分割した第１〜第４の輝度信号の予測ブロックを設定して、復号された前記輝度信号の予測ブロック毎のイントラ輝度予測モードに関する情報により得られた各イントラ輝度予測モードに応じて、周囲の復号済みの輝度信号のブロックから輝度信号を予測する輝度信号イントラ予測ステップと、前記分割モードが設定され、色差フォーマットが４：２：０である場合、前記符号化ブロックの色差信号を分割することなく色差信号の予測ブロックを設定して、復号されたイントラ色差予測モードに関する情報により得られたイントラ色差予測モードに応じて、周囲の復号済みの色差信号のブロックから色差信号を予測する色差信号イントラ予測ステップと
を有し、
前記色差信号イントラ予測ステップにおいて、イントラ輝度予測モードに応じてイントラ色差予測モードを設定するモードにおいて、前記符号化ブロック内の第１の輝度信号の予測ブロックのイントラ輝度予測モードを示す値を、前記符号化ブロック内の色差信号の予測ブロックのイントラ色差予測モードを示す値に用いることにより、イントラ色差予測モードを設定する
ことを特徴とする受信方法。
【請求項６】
符号化ストリームから、イントラ予測モードに関する情報を復号して、ブロック単位で輝度信号と色差信号とを含む画像信号をイントラ予測復号する受信プログラムであって、
動画像が符号化された符号化データを受信する受信ステップと、
前記符号化データをパケット処理して前記符号化ストリームを生成するパケット処理ステップと、
前記符号化ストリームから画像信号を符号化ブロック単位でイントラ予測する際、輝度信号を水平および垂直に分割する分割モードが取得され、色差フォーマットが４：２：０である場合、前記符号化ブロック内の第１の輝度信号の予測ブロックのイントラ輝度予測モード、第２の輝度信号の予測ブロックのイントラ輝度予測モード、第３の輝度信号の予測ブロックのイントラ輝度予測モード、第４の輝度信号の予測ブロックのイントラ輝度予測モード、及び、第１の輝度信号の予測ブロックと同一の基準位置にある色差信号の予測ブロックのイントラ色差予測モードに関する符号化情報が配列された符号化列から、前記第１〜第４の輝度信号の予測ブロックのイントラ輝度予測モードに関する情報を復号し、続いて色差信号の予測ブロックのイントラ色差予測モードに関する情報を復号する符号化列復号ステップと、
前記分割モードが設定された場合、前記符号化ブロックの輝度信号を水平および垂直に分割した第１〜第４の輝度信号の予測ブロックを設定して、復号された前記輝度信号の予測ブロック毎のイントラ輝度予測モードに関する情報により得られた各イントラ輝度予測モードに応じて、周囲の復号済みの輝度信号のブロックから輝度信号を予測する輝度信号イントラ予測ステップと、前記分割モードが設定され、色差フォーマットが４：２：０である場合、前記符号化ブロックの色差信号を分割することなく色差信号の予測ブロックを設定して、復号されたイントラ色差予測モードに関する情報により得られたイントラ色差予測モードに応じて、周囲の復号済みの色差信号のブロックから色差信号を予測する色差信号イントラ予測ステップと
をコンピュータに実行させ、
前記色差信号イントラ予測ステップにおいて、イントラ輝度予測モードに応じてイントラ色差予測モードを設定するモードにおいて、前記符号化ブロック内の第１の輝度信号の予測ブロックのイントラ輝度予測モードを示す値を、前記符号化ブロック内の色差信号の予測ブロックのイントラ色差予測モードを示す値に用いることにより、イントラ色差予測モードを設定する
ことを特徴とする受信プログラム。
【手続補正２】
【補正対象書類名】明細書
【補正対象項目名】００１６
【補正方法】変更
【補正の内容】
【００１６】
イントラ予測モードに関する情報を復号して、ブロック単位で輝度信号と色差信号とを含む画像信号をイントラ予測復号する画像復号装置であって、画像信号を符号化ブロック単位でイントラ予測する際、輝度信号を水平および垂直に分割する分割モードが取得され、色差フォーマットが４：２：０である場合、前記符号化ブロック内の第１の輝度信号の予測ブロックのイントラ輝度予測モード、第２の輝度信号の予測ブロックのイントラ輝度予測モード、第３の輝度信号の予測ブロックのイントラ輝度予測モード、第４の輝度信号の予測ブロックのイントラ輝度予測モード、及び、第１の輝度信号の予測ブロックと同一の基準位置にある色差信号の予測ブロックのイントラ色差予測モードに関する符号化情報が配列された符号化列から、前記第１〜第４の輝度信号の予測ブロックのイントラ輝度予測モードに関する情報を復号し、続いて色差信号の予測ブロックのイントラ色差予測モードに関する情報を復号する符号化列復号部と、前記分割モードが設定された場合、前記符号化ブロックの輝度信号を水平および垂直に分割した第１〜第４の輝度信号の予測ブロックを設定して、復号された前記輝度信号の予測ブロック毎のイントラ輝度予測モードに関する情報により得られた各イントラ輝度予測モードに応じて、周囲の復号済みの輝度信号のブロックから輝度信号を予測する輝度信号イントラ予測部と、前記分割モードが設定され、色差フォーマットが４：２：０である場合、前記符号化ブロックの色差信号を分割することなく色差信号の予測ブロックを設定して、復号されたイントラ色差予測モードに関する情報により得られたイントラ色差予測モードに応じて、周囲の復号済みの色差信号のブロックから色差信号を予測する色差信号イントラ予測部とを備え、前記色差信号イントラ予測部は、イントラ輝度予測モードに応じてイントラ色差予測モードを設定するモードにおいて、前記符号化ブロック内の第１の輝度信号の予測ブロックのイントラ輝度予測モードを示す値を、前記符号化ブロック内の色差信号の予測ブロックのイントラ色差予測モードを示す値に用いることにより、イントラ色差予測モードを設定することを特徴とする画像復号装置を提供する。
イントラ予測モードに関する情報を復号して、ブロック単位で輝度信号と色差信号とを含む画像信号をイントラ予測復号する画像復号方法であって、画像信号を符号化ブロック単位でイントラ予測する際、輝度信号を水平および垂直に分割する分割モードが取得され、色差フォーマットが４：２：０である場合、前記符号化ブロック内の第１の輝度信号の予測ブロックのイントラ輝度予測モード、第２の輝度信号の予測ブロックのイントラ輝度予測モード、第３の輝度信号の予測ブロックのイントラ輝度予測モード、第４の輝度信号の予測ブロックのイントラ輝度予測モード、及び、第１の輝度信号の予測ブロックと同一の基準位置にある色差信号の予測ブロックのイントラ色差予測モードに関する符号化情報が配列された符号化列から、前記第１〜第４の輝度信号の予測ブロックのイントラ輝度予測モードに関する情報を復号し、続いて色差信号の予測ブロックのイントラ色差予測モードに関する情報を復号する符号化列復号ステップと、前記分割モードが設定された場合、前記符号化ブロックの輝度信号を水平および垂直に分割した第１〜第４の輝度信号の予測ブロックを設定して、復号された前記輝度信号の予測ブロック毎のイントラ輝度予測モードに関する情報により得られた各イントラ輝度予測モードに応じて、周囲の復号済みの輝度信号のブロックから輝度信号を予測する輝度信号イントラ予測ステップと、前記分割モードが設定され、色差フォーマットが４：２：０である場合、前記符号化ブロックの色差信号を分割することなく色差信号の予測ブロックを設定して、復号されたイントラ色差予測モードに関する情報により得られたイントラ色差予測モードに応じて、周囲の復号済みの色差信号のブロックから色差信号を予測する色差信号イントラ予測ステップとを有し、前記色差信号イントラ予測ステップにおいて、イントラ輝度予測モードに応じてイントラ色差予測モードを設定するモードにおいて、前記符号化ブロック内の第１の輝度信号の予測ブロックのイントラ輝度予測モードを示す値を、前記符号化ブロック内の色差信号の予測ブロックのイントラ色差予測モードを示す値に用いることにより、イントラ色差予測モードを設定することを特徴とする画像復号方法を提供する。
イントラ予測モードに関する情報を復号して、ブロック単位で輝度信号と色差信号とを含む画像信号をイントラ予測復号する画像復号プログラムであって、画像信号を符号化ブロック単位でイントラ予測する際、輝度信号を水平および垂直に分割する分割モードが取得され、色差フォーマットが４：２：０である場合、前記符号化ブロック内の第１の輝度信号の予測ブロックのイントラ輝度予測モード、第２の輝度信号の予測ブロックのイントラ輝度予測モード、第３の輝度信号の予測ブロックのイントラ輝度予測モード、第４の輝度信号の予測ブロックのイントラ輝度予測モード、及び、第１の輝度信号の予測ブロックと同一の基準位置にある色差信号の予測ブロックのイントラ色差予測モードに関する符号化情報が配列された符号化列から、前記第１〜第４の輝度信号の予測ブロックのイントラ輝度予測モードに関する情報を復号し、続いて色差信号の予測ブロックのイントラ色差予測モードに関する情報を復号する符号化列復号ステップと、前記分割モードが設定された場合、前記符号化ブロックの輝度信号を水平および垂直に分割した第１〜第４の輝度信号の予測ブロックを設定して、復号された前記輝度信号の予測ブロック毎のイントラ輝度予測モードに関する情報により得られた各イントラ輝度予測モードに応じて、周囲の復号済みの輝度信号のブロックから輝度信号を予測する輝度信号イントラ予測ステップと、前記分割モードが設定され、色差フォーマットが４：２：０である場合、前記符号化ブロックの色差信号を分割することなく色差信号の予測ブロックを設定して、復号されたイントラ色差予測モードに関する情報により得られたイントラ色差予測モードに応じて、周囲の復号済みの色差信号のブロックから色差信号を予測する色差信号イントラ予測ステップとをコンピュータに実行させ、前記色差信号イントラ予測ステップにおいて、イントラ輝度予測モードに応じてイントラ色差予測モードを設定するモードにおいて、前記符号化ブロック内の第１の輝度信号の予測ブロックのイントラ輝度予測モードを示す値を、前記符号化ブロック内の色差信号の予測ブロックのイントラ色差予測モードを示す値に用いることにより、イントラ色差予測モードを設定することを特徴とする画像復号プログラムを提供する。
符号化ストリームから、イントラ予測モードに関する情報を復号して、ブロック単位で輝度信号と色差信号とを含む画像信号をイントラ予測復号する受信装置であって、動画像が符号化された符号化データを受信する受信部と、前記符号化データをパケット処理して前記符号化ストリームを生成するパケット処理部と、前記符号化ストリームから画像信号を符号化ブロック単位でイントラ予測する際、輝度信号を水平および垂直に分割する分割モードが取得され、色差フォーマットが４：２：０である場合、前記符号化ブロック内の第１の輝度信号の予測ブロックのイントラ輝度予測モード、第２の輝度信号の予測ブロックのイントラ輝度予測モード、第３の輝度信号の予測ブロックのイントラ輝度予測モード、第４の輝度信号の予測ブロックのイントラ輝度予測モード、及び、第１の輝度信号の予測ブロックと同一の基準位置にある色差信号の予測ブロックのイントラ色差予測モードに関する符号化情報が配列された符号化列から、前記第１〜第４の輝度信号の予測ブロックのイントラ輝度予測モードに関する情報を復号し、続いて色差信号の予測ブロックのイントラ色差予測モードに関する情報を復号する符号化列復号部と、前記分割モードが設定された場合、前記符号化ブロックの輝度信号を水平および垂直に分割した第１〜第４の輝度信号の予測ブロックを設定して、復号された前記輝度信号の予測ブロック毎のイントラ輝度予測モードに関する情報により得られた各イントラ輝度予測モードに応じて、周囲の復号済みの輝度信号のブロックから輝度信号を予測する輝度信号イントラ予測部と、前記分割モードが設定され、色差フォーマットが４：２：０である場合、前記符号化ブロックの色差信号を分割することなく色差信号の予測ブロックを設定して、復号されたイントラ色差予測モードに関する情報により得られたイントラ色差予測モードに応じて、周囲の復号済みの色差信号のブロックから色差信号を予測する色差信号イントラ予測部とを備え、前記色差信号イントラ予測部は、イントラ輝度予測モードに応じてイントラ色差予測モードを設定するモードにおいて、前記符号化ブロック内の第１の輝度信号の予測ブロックのイントラ輝度予測モードを示す値を、前記符号化ブロック内の色差信号の予測ブロックのイントラ色差予測モードを示す値に用いることにより、イントラ色差予測モードを設定することを特徴とする受信装置を提供する。
符号化ストリームから、イントラ予測モードに関する情報を復号して、ブロック単位で輝度信号と色差信号とを含む画像信号をイントラ予測復号する受信方法であって、動画像が符号化された符号化データを受信する受信ステップと、前記符号化データをパケット処理して前記符号化ストリームを生成するパケット処理ステップと、前記符号化ストリームから画像信号を符号化ブロック単位でイントラ予測する際、輝度信号を水平および垂直に分割する分割モードが取得され、色差フォーマットが４：２：０である場合、前記符号化ブロック内の第１の輝度信号の予測ブロックのイントラ輝度予測モード、第２の輝度信号の予測ブロックのイントラ輝度予測モード、第３の輝度信号の予測ブロックのイントラ輝度予測モード、第４の輝度信号の予測ブロックのイントラ輝度予測モード、及び、第１の輝度信号の予測ブロックと同一の基準位置にある色差信号の予測ブロックのイントラ色差予測モードに関する符号化情報が配列された符号化列から、前記第１〜第４の輝度信号の予測ブロックのイントラ輝度予測モードに関する情報を復号し、続いて色差信号の予測ブロックのイントラ色差予測モードに関する情報を復号する符号化列復号ステップと、前記分割モードが設定された場合、前記符号化ブロックの輝度信号を水平および垂直に分割した第１〜第４の輝度信号の予測ブロックを設定して、復号された前記輝度信号の予測ブロック毎のイントラ輝度予測モードに関する情報により得られた各イントラ輝度予測モードに応じて、周囲の復号済みの輝度信号のブロックから輝度信号を予測する輝度信号イントラ予測ステップと、前記分割モードが設定され、色差フォーマットが４：２：０である場合、前記符号化ブロックの色差信号を分割することなく色差信号の予測ブロックを設定して、復号されたイントラ色差予測モードに関する情報により得られたイントラ色差予測モードに応じて、周囲の復号済みの色差信号のブロックから色差信号を予測する色差信号イントラ予測ステップとを有し、前記色差信号イントラ予測ステップにおいて、イントラ輝度予測モードに応じてイントラ色差予測モードを設定するモードにおいて、前記符号化ブロック内の第１の輝度信号の予測ブロックのイントラ輝度予測モードを示す値を、前記符号化ブロック内の色差信号の予測ブロックのイントラ色差予測モードを示す値に用いることにより、イントラ色差予測モードを設定することを特徴とする受信方法を提供する。
符号化ストリームから、イントラ予測モードに関する情報を復号して、ブロック単位で輝度信号と色差信号とを含む画像信号をイントラ予測復号する受信プログラムであって、動画像が符号化された符号化データを受信する受信ステップと、前記符号化データをパケット処理して前記符号化ストリームを生成するパケット処理ステップと、前記符号化ストリームから画像信号を符号化ブロック単位でイントラ予測する際、輝度信号を水平および垂直に分割する分割モードが取得され、色差フォーマットが４：２：０である場合、前記符号化ブロック内の第１の輝度信号の予測ブロックのイントラ輝度予測モード、第２の輝度信号の予測ブロックのイントラ輝度予測モード、第３の輝度信号の予測ブロックのイントラ輝度予測モード、第４の輝度信号の予測ブロックのイントラ輝度予測モード、及び、第１の輝度信号の予測ブロックと同一の基準位置にある色差信号の予測ブロックのイントラ色差予測モードに関する符号化情報が配列された符号化列から、前記第１〜第４の輝度信号の予測ブロックのイントラ輝度予測モードに関する情報を復号し、続いて色差信号の予測ブロックのイントラ色差予測モードに関する情報を復号する符号化列復号ステップと、前記分割モードが設定された場合、前記符号化ブロックの輝度信号を水平および垂直に分割した第１〜第４の輝度信号の予測ブロックを設定して、復号された前記輝度信号の予測ブロック毎のイントラ輝度予測モードに関する情報により得られた各イントラ輝度予測モードに応じて、周囲の復号済みの輝度信号のブロックから輝度信号を予測する輝度信号イントラ予測ステップと、前記分割モードが設定され、色差フォーマットが４：２：０である場合、前記符号化ブロックの色差信号を分割することなく色差信号の予測ブロックを設定して、復号されたイントラ色差予測モードに関する情報により得られたイントラ色差予測モードに応じて、周囲の復号済みの色差信号のブロックから色差信号を予測する色差信号イントラ予測ステップとをコンピュータに実行させ、前記色差信号イントラ予測ステップにおいて、イントラ輝度予測モードに応じてイントラ色差予測モードを設定するモードにおいて、前記符号化ブロック内の第１の輝度信号の予測ブロックのイントラ輝度予測モードを示す値を、前記符号化ブロック内の色差信号の予測ブロックのイントラ色差予測モードを示す値に用いることにより、イントラ色差予測モードを設定することを特徴とする受信プログラムを提供する。
【手続補正３】
【補正対象書類名】明細書
【補正対象項目名】０１３６
【補正方法】変更
【補正の内容】
【０１３６】
続いて、色差フォーマットが４：２：２または４：４：４の場合（Ｓ１０１３のＹＥＳ）、図２２の符号化処理手順で色差信号の分割インデックスPartIdxが２の予測ブロックのイントラ色差予測モードの符号化処理を行う（Ｓ１０１４）。なお、色差フォーマットが４：２：２でも４：４：４でもない場合、すなわち色差フォーマットが４：２：０の場合（Ｓ１０１３のＮＯ）、色差信号の分割インデックスPartIdxが２の予測ブロックは存在しないので、ステップＳ１０１４をスキップして、次のステップＳ１０１５に進む。
【手続補正４】
【補正対象書類名】図面
【補正対象項目名】図１９
【補正方法】変更
【補正の内容】
【図１９】
2014014136.tif 000001